(57)【要約】【課題】ＬＥＤランプの落下を防止することのできる照明器具を提供する。【解決手段】ＬＥＤランプ１の口金１２が着脱自在に装着されるソケット２と、ソケット２が取り付けられるアダプタ３と、アダプタ３を介してソケット２を機械的に保持する器具本体４とを備え、アダプタ３に、器具本体４に固定される側板３１と、アダプタ３に固定されてソケット２に装着されたＬＥＤランプ１と鉛直方向における下側で対向するソケットカバー３２とを設けた。【選択図】図１
2012043620.tif 000002
【特許請求の範囲】
【請求項１】
ＬＥＤランプの口金が着脱自在に装着されるソケットと、前記ソケットが取り付けられるアダプタと、前記アダプタを介して前記ソケットを機械的に保持する器具本体とを備え、前記アダプタには、前記器具本体に固定される固定部と、前記アダプタに固定されて前記ソケットに装着された前記ＬＥＤランプと鉛直方向における下側で対向する落下防止部とが設けられたことを特徴とする照明器具。
【請求項２】
前記落下防止部は、前記ソケットに装着された前記ＬＥＤランプに接触するとともに、前記固定部及び前記器具本体を介した放熱経路を形成することを特徴とする請求項１記載の照明器具。
【請求項３】
前記落下防止部は、前記ＬＥＤランプが前記ソケットに装着された状態で前記ＬＥＤランプの前記口金及び前記ソケットを覆うソケットカバーから成ることを特徴とする請求項１又は２記載の照明器具。
【請求項４】
前記ソケットカバーは、透光性を有する材料から成ることを特徴とする請求項３記載の照明器具。
【発明の詳細な説明】
【技術分野】
【０００１】
本発明は、ＬＥＤランプを光源とする照明器具に関する。
【背景技術】
【０００２】
従来から、室内又は屋外に設置される照明器具の光源として蛍光灯が多く用いられてきた。一般に使用されている直管型の蛍光灯は、放電ガスが充填されるとともに蛍光体が内面に塗布されたランプ本体と、ランプ本体の長手方向の両端に各々設けられて電源に接続するための１対の給電用端子を夫々有する口金とを備えている。このような蛍光灯は、各給電用端子を器具本体に取り付けられる１対のソケットのピン穴にそれぞれ差し込むことによりソケットに装着される。そして、蛍光灯の各給電用端子が点灯装置を介して商用電源に接続されることで、蛍光灯に点灯電力が供給されて点灯するように構成されている。
【０００３】
近年では、ＬＥＤ（発光ダイオード）の発光効率の上昇に伴って、低消費電力で且つ長寿命であるＬＥＤランプが照明器具の光源として用いられる事が可能となっており、例えば特許文献１に開示されているようなものがある。このようなＬＥＤランプは、既存の蛍光灯用の照明器具でも使用できるように、例えば従来の直管型の蛍光灯と同様のランプ本体と口金とを備えて構成される。但し、従来の蛍光灯とは異なり、ランプ本体の内部には、一面に複数のＬＥＤを実装した基板が収納される。而して、既存の蛍光灯用の照明器具にＬＥＤランプを取り付けて使用することができるため、ＬＥＤランプ用に新たに照明器具を製造する必要がない。
【先行技術文献】
【特許文献】
【０００４】
【特許文献１】特開２００９−４３４４７号公報
【発明の概要】
【発明が解決しようとする課題】
【０００５】
ところで、従来の蛍光灯用の照明器具では、蛍光灯のランプ本体及び口金の形状や寸法等の規格が定まっていることから、蛍光灯が装着されるソケットの規格も定まっている。蛍光灯用のソケットには、蛍光灯を装着するための構造と、器具本体に取り付けるための構造とが一体に備わっている。したがって、照明器具の器具本体にソケットを取り付けるだけで蛍光灯を着脱自在に装着することができる。
【０００６】
一方、上記のような照明用の光源としてのＬＥＤランプの登場はごく最近の事であり、従来の蛍光灯のようにＬＥＤランプの規格が定まっていない。このため、ＬＥＤランプのランプ本体の形状や寸法、及び口金の形状や寸法等はＬＥＤランプを製造する製造者（メーカ）に応じて多種多様である。また、ＬＥＤの高出力化に伴ってＬＥＤランプが小型化されると、小型化に応じてランプ本体及び口金の形状や寸法等が変更されるため、更に多種多様となる。
【０００７】
したがって、従来の蛍光灯用の照明器具のソケットを使用することができず、多種多様なＬＥＤランプ毎に対応する構造を有するソケットを用意しなければならない。更に、照明器具の器具本体に関しても、従来の蛍光灯用の器具本体のみならず他の形態を有する器具本体を採用する可能性がある。このことから、器具本体毎に対応する構造を有するソケットを用意しなければならず、結果として、今後増加するであろうＬＥＤランプ及び器具本体のバリエーションに対応するソケットを個別に用意しなければならないという問題があった。この問題を解決するために、本願の発明者らは、ＬＥＤランプを装着するための構造と、器具本体に取り付けるための構造とをソケットとアダプタとで別体に設けた照明器具を考案している。
【０００８】
ところで、ＬＥＤランプは、従来の蛍光灯とは異なりその内部に基板が収納されていることから、従来の蛍光灯よりも重量が大きい。このため、例えばＬＥＤランプを交換する作業を行う際に、作業中にＬＥＤランプが落下しないように従来の蛍光灯の交換作業の場合よりも細心の注意を払う必要があった。
【０００９】
本発明は、上記の点に鑑みて為されたもので、ＬＥＤランプの落下を防止することのできる照明器具を提供することを目的とする。
【課題を解決するための手段】
【００１０】
本発明の照明器具は、ＬＥＤランプの口金が着脱自在に装着されるソケットと、前記ソケットが取り付けられるアダプタと、前記アダプタを介して前記ソケットを機械的に保持する器具本体とを備え、前記アダプタには、前記器具本体に固定される固定部と、前記アダプタに固定されて前記ソケットに装着された前記ＬＥＤランプと鉛直方向における下側で対向する落下防止部とが設けられたことを特徴とする。
【００１１】
この照明器具において、前記落下防止部は、前記ソケットに装着された前記ＬＥＤランプに接触するとともに、前記固定部及び前記器具本体を介した放熱経路を形成することが好ましい。
【００１２】
この照明器具において、前記落下防止部は、前記ＬＥＤランプが前記ソケットに装着された状態で前記ＬＥＤランプの前記口金及び前記ソケットを覆うソケットカバーから成ることが好ましい。
【００１３】
この照明器具において、前記ソケットカバーは、透光性を有する材料から成ることが好ましい。
【発明の効果】
【００１４】
本発明は、落下防止部がアダプタに固定され且つＬＥＤランプと鉛直方向における下側で対向するため、ＬＥＤランプの鉛直方向における下側への移動を規制することができる。したがって、例えばＬＥＤランプを交換する作業を行う際に、ＬＥＤランプがソケットから外れた場合でも、落下防止部によってＬＥＤランプの下側への移動が規制されることから、ＬＥＤランプの落下を防止することができる。
【図面の簡単な説明】
【００１５】
【図１】本発明に係る照明器具の実施形態を示す図で、（ａ）はソケットをアダプタに取り付ける前の要部斜視図で、（ｂ）はアダプタを器具本体に取り付ける前の要部斜視図で、（ｃ）はアダプタを器具本体に取り付けた後の要部斜視図である。
【図２】同上のソケットのアダプタへの取付方法を示す図で、（ａ）は正面図で、（ｂ）は（ａ）におけるＡ−Ａ’線断面矢視図である。
【図３】同上のＬＥＤランプを示す斜視図である。
【図４】同上のソケットカバーのアダプタへの取付方法を示す図で、（ａ）はアダプタ及びソケットカバーを示す斜視図で、（ｂ）はＬＥＤランプ及びソケットカバーを取り付ける前の要部斜視図で、（ｃ）はＬＥＤランプ及びソケットカバーを取り付けた後の要部斜視図である。
【図５】同上の組立前の状態を示す分解斜視図である。
【図６】同上のＬＥＤランプを取り付けた状態を示す全体斜視図である。
【発明を実施するための形態】
【００１６】
以下、本発明に係る照明器具の実施形態について図面を用いて説明する。尚、以下の説明では、図１（ａ）における上下左右を上下左右方向、紙面手前側を前方向、紙面奥側を後方向と定めるものとする。本実施形態は、図１（ａ）に示すように、直管型のＬＥＤランプ１が着脱自在に装着される１対（図示では１つ）のソケット２と、ソケット２が取り付けられるアダプタ３と、アダプタ３を介してソケット２を機械的に保持する器具本体４とを備える。
【００１７】
ＬＥＤランプ１は、図３に示すように、直管型のランプ本体１０と、ランプ本体１０の長手方向における両端に設けられた口金１１，１２と、各口金１１，１２からそれぞれ突設される１対の丸棒状の給電用端子１３、接地用端子１４とから構成される。ランプ本体１０の内部には、図示しないが複数のＬＥＤを実装した基板が収納されており、これらＬＥＤのアノード及びカソードと各給電用端子１３とが電気的に接続されている。而して、給電用端子１３を介して各ＬＥＤに点灯電力を供給することでＬＥＤランプ１を点灯させるようになっている。
【００１８】
ソケット２は、図１（ａ）に示すように、外郭がＵ字状に形成された箱体から成るソケット本体２０と、ソケット本体２０の上端部に一体に形成されて後述するアダプタ３の取付孔３０Ａの外周縁に載置される矩形板状の基台部２１とから構成される。ソケット本体２０の下端部には、下面及び前面が開口するとともに、ＬＥＤランプ１の接地用端子１４の頭部１４Ａをスライド自在に挿入可能とする挿入凹部２０Ａが設けられている。この挿入凹部２０Ａの内部には、接地用端子１４の頭部１４Ａを挟持して機械的に保持する１対の刃受け２２が設けられている。この刃受け２２は、一端部に接地用ビン２４が設けられているＬ字状の連結片２３の他端部に設けられている。これらの部材は、例えば銅等の導電性材料から成る金属板によって一体に形成されている。接地用ピン２４は、基台部２１から下向きに突出する形で設けられており、ソケット２をアダプタ３に取り付ける際に後述するアダプタ３のピン挿入孔３０Ｂに挿入される。
【００１９】
また、ソケット本体２０の短手方向（左右方向）における両側面には、外向きに突出する断面三角形状の突部２０Ｂがそれぞれ一体に形成されている。ここで、ソケット本体２０の短手方向の幅寸法は、アダプタ３の取付孔３０Ａの前記方向における幅寸法よりも小さい。一方、各突部２０Ａが設けられた位置におけるソケット本体２０の短手方向の幅寸法は、取付孔３０Ａの前記方向における幅寸法よりも大きくなっている。但し、各突部２０Ｂを取付孔３０Ａの内周縁に押し当てることでソケット本体２０を取付孔３０Ａに挿入できるようになっている。
【００２０】
尚、上記の説明では、１対のソケット２のうち接地用端子１４が接続される側のソケット２について説明したが、他方のソケット２の構造も基本的に同じである。但し、他方のソケット２では、挿入凹部２０Ａ及び刃受け２２の構造が給電用端子１３を機械的に保持するための構造となっている。この給電用端子１３を機械的に保持するための構造は、従来の蛍光灯用ソケットの構造と同じであり従来周知なので、ここでは詳細な説明を省略する。
【００２１】
アダプタ３は、図１（ａ）に示すように、正方形状の主板３０と、主板３０の対向する２辺から各々上向きに突出する矩形状の１対の側板３１とを一体に形成して成る。主板３０には、厚み方向に貫通するとともにソケット２のソケット本体２０を挿入可能とする矩形状の取付孔３０Ａが設けられている。主板３０の取付孔３０Ａの近傍には、厚み方向に貫通するとともにソケット２の接地用ピン２４を挿入可能とする円形状のピン挿入孔３０Ｂが設けられている。また、主板３０の前側の辺の左右両端部には、それぞれ前端部が開口するとともに後述するソケットカバー３２の引掛け爪３２Ｃを挿入可能とする矩形状の切り欠き３０Ｃが設けられている。更に、主板３０の取付孔３０Ａの後側には、厚み方向に貫通するとともに後述するソケットカバー３２の引掛け爪３２Ｄを挿入可能とする矩形状の爪挿入孔３０Ｄが設けられている。
【００２２】
各側板３１には、その長手方向の一端縁（右端縁）から他端縁（左端縁）の手前にかけて切り欠いて設けられた細長のスリット３１Ａが、それぞれ複数（図示では３つ）設けられている。これらスリット３１Ａは、各側板３１において、器具本体４が取り付けられる天井等の造営面５と垂直な方向（上下方向）に沿って並設されている。各スリット３１Ａの長手方向の一端部は開口されており、この開口部分から器具本体４の後述する取付片４０Ａをスライド自在に挿入可能としている。したがって、各スリット３１Ａを含めた各側板３１が器具本体４の固定される固定部となる。尚、各スリット３１Ａの開口部分には、外に向かうに従って上下方向の幅寸法が大きくなるようなテーパ３１Ｂがそれぞれ設けられている。而して、アダプタ３を器具本体４の後述する取付台部４０に取り付ける際に、各テーパ３１Ｂに沿わせて各スリット３１Ａ内に取付片４０Ａを挿入することができるので、アダプタ３を容易に取り付けることができる。
【００２３】
ここで、図１（ａ）に示すように、アダプタ３には、取付孔３０Ａに挿入された状態のソケット２を覆うソケットカバー３２が設けられている。ソケットカバー３２は、例えばポリカーボネートから成り、図１（ａ），図４（ａ）に示すように、平面視Ｕ字状に湾曲した側壁３２Ａと、外郭がＵ字状に形成された後壁３２Ｂとを一体に形成して成る。このため、ソケットカバー３２は、その前面と上面が外部に開放された形状となる。側壁３２Ａの前側の上端部には、それぞれ上向きに突出する断面三角形状の引掛け爪３２Ｃが一体に形成されている。また、後壁３２Ｂの上端部には、上向きに突出する断面三角形状の引掛け爪３２Ｄが一体に形成されている。これら引掛け爪３２Ｃ，３２Ｄをアダプタ３の１対の切り欠き３０Ｃ、及び爪挿入孔３０Ｄにそれぞれ挿入し、各切り欠き３０Ｃの周縁、及び爪挿入孔３０Ｄの周縁に引掛けることで、ソケットカバー３２がアダプタ３に取付固定されるようになっている。尚、上記の説明では、１対のソケット２のうち一方のソケット２を覆うソケットカバー３２について説明したが、他方のソケット２を覆うソケットカバー（図示せず）の構造も基本的に同じである。
【００２４】
器具本体４は、図５に示すように、下面を開口した長尺の箱体から成り、その上面の長手方向における中央部には、造営面５の上方から埋込孔５０を介して垂下される電源線５１を通すための円形状の電線挿入孔４Ａが設けられている。また、器具本体４上面の長手方向における電線挿入孔４Ａを挟んだ両側には、造営面５の上方から埋込孔５０を介して垂下される吊ボルト５２を通すためのボルト挿入孔４Ｂがそれぞれ設けられている。また、器具本体４内部における電線挿入孔４Ａの近傍には、電源線５１が接続されるコネクタや点灯装置を構成する回路部品４１が設けられている。点灯装置は、電源線５１を介して供給される商用電源（図示せず）からの交流電力をＬＥＤランプ１を点灯させるために必要な直流電力に変換し、当該直流電力をソケット２を介してＬＥＤランプ１に供給するものである。尚、このような点灯装置は従来周知であるので、ここでは詳細な説明を省略する。
【００２５】
器具本体４の長手方向における両端部には、図５に示すように、アダプタ３を取付固定するための取付台部４０がそれぞれ設けられている。取付台部４０は、図１（ａ）に示すように、例えば金属板を断面コ字状に折り曲げて成り、その下端縁にはアダプタ３の各スリット３１Ａに挿入される取付片４０Ａが一体に形成されている。而して、取付台部４０の各取付片４０Ａをアダプタ３の各スリット３１Ａに挿入することで、アダプタ３が器具本体４に取付固定されるようになっている。
【００２６】
また、器具本体４の長手方向における中央部を挟んだ両側には、図５に示すように、器具本体４を造営面５の埋込孔５０内に取り付けるための取付具４２がそれぞれ設けられている。取付具４２は、例えば金属材料から成り、その下面には、後述する反射体６を器具本体４に取り付けるための取付ねじ７０が締め付けられる雌ねじ部（図示せず）が内面に形成されたねじ孔４２Ａが設けられている。また、取付具４２には、その器具本体４の短手方向に沿った両側からそれぞれ下向きに湾曲する形で１対の支持片４２Ｂが一体に形成されている。これら支持片４２Ｂは、器具本体４を造営面５の埋込孔５０に埋込配設する際に、埋込孔５０の内周縁に押されて互いに近付く向きに撓む。而して、各支持片４２Ｂが復帰する向きの付勢力によって埋込孔５０の内周縁を押圧するため、器具本体４が埋込孔５０内で固定される。
【００２７】
反射体６は、図５に示すように、例えばアルミ材等から成り、下面が開口するとともに下面側に向かうにつれて開口面積が大きくなる長尺の箱体に形成されている。この反射体６の内面は反射材（図示せず）で塗装されており、これによりＬＥＤランプ１からの光を下方へ反射する反射面が形成されている。また、反射体６の上面の長手方向における両端部には、ソケット２及び放熱部３２を反射体６の内側に配置するための矩形状のソケット挿入孔６Ａがそれぞれ設けられている（図示では１つ）。更に、反射体６の上面には、取付ねじ７０が挿入される１対の円形状のねじ挿入孔６Ｂが取付具４２の各ねじ孔４２Ａに対応するように設けられている。
【００２８】
以下、本実施形態の組立方法について図面を用いて説明する。先ず、図２（ａ），（ｂ）に示すように、ソケット本体２０の下端部をアダプタ３の取付孔３０Ａに上側から挿入し、ソケット本体２０の各突部２０Ｂと基台部２１との間でアダプタ３の取付孔３０Ａの周縁を挟み込むことで、ソケット２をアダプタ３に取り付ける。この時、ソケット２の接地用ピン２４がアダプタ３のピン挿入孔３０Ｂに挿入される。而して、ソケット２は、図１（ｂ）に示すような形でアダプタ３に取り付けられることになる。次に、器具本体４の取付台部４０の各取付片４０Ａにアダプタ３の各スリット３１Ａを開口部分から挿入し、アダプタ３を押し込むようにスライドさせる。而して、アダプタ３は、図１（ｃ）に示すような形で器具本体４の取付台部４０に取付固定される。尚、上記では、一方のソケット２及びアダプタ３を器具本体４の長手方向の一端部に取り付ける場合について説明したが、他方のソケット２及びアダプタ３も同様の方法で器具本体４の長手方向の他端部に取り付けることができる。
【００２９】
次に、図５に示すように、造営面５の上方から垂下される電源線５１、及び２本の吊ボルト５２を器具本体４の電線挿入孔４Ａ、及び１対のボルト挿入孔４Ｂにそれぞれ挿入する。そして、電源線５１を回路部品４１のコネクタに接続するとともに、器具本体４の下側から各吊ボルト５２にワッシャ７１を嵌めた状態でナット７２を締め付けることで、器具本体４を造営面５の埋込孔５０に埋込配設することができる。その後、各ソケット２及を反射体６の各ソケット挿入孔６Ａに挿入し、取付ねじ７０を反射体６の各ねじ挿入孔６Ｂ、及び取付具４２の各ねじ孔４２Ａに挿入して締め付けることで、反射体６を器具本体４に取り付けることができ、本実施形態の組立が完成する。そして、ＬＥＤランプ１の各口金１１，１２を各ソケット２に装着することで、ＬＥＤランプ１を本実施形態に取り付けることができる。
【００３０】
ここで、図４（ｂ），（ｃ）に示すように、ソケット２にＬＥＤランプ１が装着された状態でソケットカバー３２をアダプタ３に取り付けることで、ソケット２のみならずＬＥＤランプ１の口金１２近傍の部位もソケットカバー３２で覆われる（図６参照）。したがって、ソケットカバー３２が「落下防止部」となる。
【００３１】
上述のように、本実施形態では、ソケットカバー３２がアダプタ３に固定され且つＬＥＤランプ１と下側で対向するため、ＬＥＤランプ１の下側への移動を規制することができる。したがって、例えばＬＥＤランプ１を交換する作業を行う際に、ＬＥＤランプ１がソケット２から外れた場合でも、ソケットカバー３２によってＬＥＤランプ１の下側への移動が規制されることから、ＬＥＤランプ１の落下を防止することができる。
【００３２】
ところで、ソケットカバー３２を熱伝導性を有する材料（例えばアルミ材等の金属材料）で形成し、アダプタ３に取り付けた際にＬＥＤランプ１に接触させるようにしてもよい。この場合、側板３１及び器具本体４を介した放熱経路が形成されるので、ＬＥＤランプ１に溜まった熱をソケットカバー３２、側板３１を介して器具本体４へと放熱させることができる。したがって、ＬＥＤランプ１に収納されているＬＥＤから発せられる熱をＬＥＤランプ１の外部に放熱し易くすることができる。また、ソケットカバー３２を例えばアクリル樹脂等の透光性を有する材料で形成してもよい。この場合、ソケットカバー３２に光を通過させることができるので、ＬＥＤランプ１のソケットカバー３２で覆われた部位からも光を外部に照射させることができる。
【００３３】
ここで、ソケットカバー３２を構成する材料としては、ＬＥＤランプ１の落下防止に耐え得る強度を有しており、また、難燃性（ＵＬ９４  Ｖ−０）も有する透明ポリカーボネートを用いるのが望ましい。尚、ソケットカバー３２を透光性を有する材料で形成する場合には、無色透明であってもよいし、白色であってもよい。
【符号の説明】
【００３４】
１  ＬＥＤランプ
１２  口金
２  ソケット
３  アダプタ
３１  側板（固定部）
３１Ａ  スリット（固定部）
３２  ソケットカバー（落下防止部）
４  器具本体
【図１】
2012043620.tif 000003
【図２】
2012043620.tif 000004
【図３】
2012043620.tif 000005
【図４】
2012043620.tif 000006
【図５】
2012043620.tif 000007
【図６】
2012043620.tif 000008